【事件の表示】
　特許第２７２１１４４号「鋼管類圧入引抜き装置」の特許に対する特許異議の申立てについて、次のとおり決定する。
【結論】
　訂正を認める。
　特許第２７２１１４４号の特許を維持する。
【理由】
Ｉ．手続きの経緯
　本件特許第２７２１１４４号の請求項１に係る発明は、平成７年１２月２７日に特許出願され、平成９年１１月２１日にその特許権の設定の登録がなされ、その後、三和機材株式会社より請求項１に係る発明の特許について特許異議の申立がなされ、当審において、請求項１に係る発明の特許について取消理由通知がなされたところ、その指定期間内である平成１１年３月２６日に訂正請求がなされたものである。
ＩＩ．訂正の適否についての判断
１．訂正の内容
　特許権者が求めている訂正の内容は、次の（１）〜（５）のとおりである。
（１）特許明細書（特許査定時の明細書）の特許請求の範囲の請求項１の記載を、，次のように訂正する。
　【請求項１】　鋼管類を貫通させる開口部を有するベースと、開口部周囲のベース上面に立設した複数個の昇降手段と、この昇降手段により昇降させられる非回転部である枠体と、屈曲自在に形成され、上記枠体と一体的に昇降可能に、かつ上記開口部を通り上記枠体の昇降方向と平行な軸を中心として回転可能に支持された鋼管類締付け用Ｃ形バンドおよびこのＣ形バンドの両自由端間に介在し、両自由端間の距離を伸縮させる油圧シリンダを備えた締付け手段と、この締付け手段を上記軸を中心として正逆転させる回転駆動機構とを備えた鋼管類圧入引抜き装置において、上記締付け手段の周囲に、これに対して相対的に、かつ上記軸を中心として回転可能に単一の大外歯車を設ける一方、上記枠体に配置したモータの出力軸に取付けた駆動歯車と、上記油圧シリンダの駆動部であって、上記締付け手段に配置した油圧ポンプの入力軸に取付けた従動歯車とを上記大外歯車に噛合わさせて、上記入力軸を正逆回転させることにより上記油圧シリンダを伸縮可能に形成したことを特徴とする鋼管類圧入引抜き装置。
（２）特許明細書の段落【０００８】の
　「【課題を解決するための手段】上記課題を解決するため、本発明は、・・・（中略）・・・かつ上記軸を中心として回転可能に大歯車を設ける一方、上記枠体に配置したモータの出力軸に取付けた駆動歯車と、上記油圧シリンダの駆動部であって、上記締付け手段に配置した油圧ポンプの入力軸に取付けた従動歯車とを上記大歯車に噛合わさせて形成した。」という記載を、
　「【課題を解決するための手段】上記課題を解決するため、本発明は、・・・（中略）・・・かつ上記軸を中心として回転可能に単一の大外歯車を設ける一方、上記枠体に配置したモータの出力軸に取付けた駆動歯車と、上記油圧シリンダの駆動部であって、上記締付け手段に配置した油圧ポンプの入力軸に取付けた従動歯車とを上記大外歯車に噛合わさせて、上記入力軸を正逆回転させることにより上記油圧シリンダを伸縮可能に形成した。」と訂正する。
（３）特許明細書の段落【０００９】の　
　「【発明の実施の形態】　次に、本発明の実施の一形態を図面にしたがって説明する・・・（中略）・・・かつ枠体１２の昇降方向と平行な上記軸を中心として回転可能に設けた大歯車５に噛合わさせて形成してある。・・・（中略）・・・駆動歯車２、大歯車５、従動歯車４を介して・・・」という記載を、
　「【発明の実施の形態】　次に、本発明の実施の一形態を図面にしたがって説明する・・・（中略）・・・かつ枠体１２の昇降方向と平行な上記軸を中心として回転可能に設けた単一の大外歯車５に噛合わさせて形成してある。・・・（中略）・・・駆動歯車２、大外歯車５、従動歯車４を介して・・・」と訂正する。
（４）特許明細書の段落【００１０】の
　「【発明の効果】　以上の説明より明らかなように、・・・（中略）・・・かつ上記軸を中心として回転可能に大歯車を設ける一方、・・・（中略）・・・油圧ポンプの入力軸に取付けた従動歯車とを上記大歯車に噛合わさせて・・・」という記載を、
　「【発明の効果】　以上の説明より明らかなように、・・・（中略）・・・かつ上記軸を中心として回転可能に単一の大外歯車を設ける一方、・・・（中略）・・・油圧ポンプの入力軸に取付けた従動歯車とを上記大外歯車に噛合わさせて、・・・」と訂正する。
（５）【符号の説明】の「５　大歯車」という記載を、「５　大外歯車」と訂正する。
２．訂正の目的の適否、新規事項の有無、および拡張・変更の存否
　（１）上記（１）の特許請求の範囲の請求項１の訂正は、「回転可能に大歯車」という記載を「回転可能に単一の大外歯車」と訂正し、「上記大歯車」という記載を「上記大外歯車」と訂正し，さらに「油圧ポンプの入力軸を正逆回転させることにより上記油圧シリンダを伸縮可能に形成した」と構成を限定したもので、特許請求の範囲の減縮に相当し、また、実質上特許請求の範囲を拡張し、又は変更するものではない。
　そして、この訂正事項は、願書に添付した明細書又は図面に記載されている事項の範囲内の訂正である。
　（２）上記（２）〜（５）の訂正は、特許請求の範囲の請求項１の訂正に伴って、それとの整合を図るために発明の詳細な説明、及び図面の簡単な説明を訂正したもので明りょうでない記載の釈明に相当する。
　そして、この訂正事項は、願書に添付した明細書又は図面に記載されている事項の範囲内の訂正である。
３．独立特許要件
（１）訂正明細書の請求項１に係る発明
　本件訂正明細書の請求項１に係る発明は、その特許請求の範囲の請求項１に記載された事項により特定される次のとおりのものである。
　【請求項１】　鋼管類を貫通させる開口部を有するベースと、開口部周囲のベース上面に立設した複数個の昇降手段と、この昇降手段により昇降させられる非回転部である枠体と、屈曲自在に形成され、上記枠体と一体的に昇降可能に、かつ上記開口部を通り上記枠体の昇降方向と平行な軸を中心として回転可能に支持された鋼管類締付け用Ｃ形バンドおよびこのＣ形バンドの両自由端間に介在し、両自由端間の距離を伸縮させる油圧シリンダを備えた締付け手段と、この締付け手段を上記軸を中心として正逆転させる回転駆動機構とを備えた鋼管類圧入引抜き装置において、上記締付け手段の周囲に、これに対して相対的に、かつ上記軸を中心として回転可能に単一の大外歯車を設ける一方、上記枠体に配置したモータの出力軸に取付けた駆動歯車と、上記油圧シリンダの駆動部であって、上記締付け手段に配置した油圧ポンプの入力軸に取付けた従動歯車とを上記大外歯車に噛合わさせて、上記入力軸を正逆回転させることにより上記油圧シリンダを伸縮可能に形成したことを特徴とする鋼管類圧入引抜き装置。
（２）各刊行物（甲各号証）に記載の発明
　特許異議申立人が提出した甲第１号証であって、当審の取消理由通知において刊行物１として引用した実公平７−６２３０号公報には、ケーシングチューブを開閉用締付ジャッキにより開閉される締付装置により締付けて回転させつつ昇降させてケーシングチューブの地中への圧入引抜きを行うボーリングマシンに関して、次のような発明が記載されている。
　「ケーシングチューブを貫通させる開口部を有するフレーム２と、開口部周囲のフレーム２上面に立設した複数本の押込みジャッキ５と、この押込みジャッキ５により昇降させられる非回転部である昇降部材３ａと、屈曲自在に形成され、上記昇降部材３ａと一体的に昇降可能に、かつ上記開口部を通り上記昇降部材３ａの昇降方向と平行な軸を中心として回転可能に支持された円弧状部材４ａおよびこの円弧状部材４ａの両自由端間に介在し、両自由端間の距離を伸縮させる開閉用締付ジャッキ４ｃを備えた締付装置４と、この締付装置４を上記軸を中心として正逆転させる旋回装置３とを備えたボーリングマシンにおいて、上記締付装置４の周囲に、これに対して相対的に、かつ上記軸を中心として回転可能に外歯車と内歯車とをボルトで連絡した大外、内歯車を設ける一方、上記昇降部材３ａに配置したモータの出力軸に取付けた出力側歯車２４を、大外、内歯車の外歯車に噛合わせ、上記開閉用締付ジャッキ４ｃの駆動部であって、上記締付装置４に配置した油圧ポンプの入力側歯車２１を上記大外、内歯車の内歯車に噛合わさせて形成したボーリングマシーン」
　同じく特許異議申立人が、１つの歯車に２つの歯車をかみ合わせた構造が周知技術であるとして提出した甲第２号証（芦葉清三郎著、「機械運動機構」、昭和４６年３月１０日、株式会社技報堂発行、第９６頁及び第１７８頁、以下、「刊行物２」という。）には、その第９６頁に「５１４．差動歯車列による減速機構（６）」の例として、１っの大内歯車の内歯歯車５、５’に２つの歯車３、３’をかみ合わせた構造が記載されており、また第１７８頁に「９７８．可変行程往復運動機構（１）」の例として、１つの外歯車２に２つの歯車４、６をかみ合わせた構造が記載されている。
（３）対比、判断
　訂正明細書の請求項１に係る発明（以下、「訂正発明」という。）と、上記各刊行物に記載の発明とを対比する。
　本件訂正発明と、上記刊行物１に記載の発明とを対比すると、刊行物１の発明の「ケーシングチューブ」、「フレーム２」、「押込みジャッキ５」、「昇降部材３ａ」、「円弧状部材４ａ」、「開閉用締付ジャッキ４ｃ」、「締付装置４」、「旋回装置３」、「ボーリングマシーン」、「出力側歯車２４」、及び「入力側歯車２１」は、その機能と構造からみて、それぞれ本件訂正発明の「鋼管類」、「ベース」、「昇降手段」、「枠体」、「Ｃ形バンド」、「油圧シリンダ」、「締付け手段」、「回転駆動機構」、「鋼管類圧入引抜き装置」、「駆動歯車」、及び「従動歯車」に相当すると認められるから、両発明は、「鋼管類を貫通させる開口部を有するベースと、開口部周囲のベース上面に立設した複数個の昇降手段と、この昇降手段により昇降させられる非回転部である枠体と、屈曲自在に形成され、上記枠体と一体的に昇降可能に、かつ上記開口部を通り上記枠体の昇降方向と平行な軸を中心として回転可能に支持された鋼管類締付け用Ｃ形バンドおよびこのＣ形バンドの両自由端間に介在し、両自由端間の距離を伸縮させる油圧シリンダを備えた締付け手段と、この締付け手段を上記軸を中心として正逆転させる回転駆動機構とを備えた鋼管類圧入引抜き装置において、上記締付け手段の周囲に、これに対して相対的に、かつ上記軸を中心として回転可能に大歯車を設ける一方、上記枠体に配置したモータの出力軸に取付けた駆動歯車と、上記油圧シリンダの駆動部であって、上記締付け手段に配置した油圧ポンプの入力軸に取付けた従動歯車とを上記大歯車に噛合わさせて、上記入力軸を正逆回転させるように形成したことを特徴とする鋼管類圧入引抜き装置」の点で構成が一致し、次の（イ）及び（ロ）の点で構成が相違している。
（イ）本件訂正発明が、油圧ポンプの入力軸を正逆回転させることにより油圧シリンダを伸縮可能に形成し、それによってＣ形バンドの両自由端間の距離を伸縮させたのに対して、刊行物１の発明では、開閉用締付ジャッキ４ｃと油圧ポンプ８との間の油圧回路に組み込まれた電磁切換バルブ１１の切換操作により開閉用締付ジャッキ４ｃを締付、解除方向へ作動させ、それによって円弧状部材４ａの両自由端間の距離を伸縮させた点。
（ロ）本件訂正発明が、軸を中心として回転可能に単一の大外歯車を設ける一方、モータの出力軸に取付けた駆動歯車と、油圧ポンプの入力軸に取付けた従動歯車とを上記大外歯車に噛合わさせたのに対して、刊行物１の発明では、軸を中心として回転可能に外歯車と内歯車とをボルトで連絡した大外、内歯車を設ける一方、モータの出力軸に取付けた出力側歯車２４を、大外、内歯車の外歯車に噛合わせ、油圧ポンプの入力側歯車２１を上記大外、内歯車の内歯車に噛合わさせた点。
　そこで、これら相違を刊行物２に記載の発明をもとに検討する。
（イ）の点について
　上記刊行物２には、１つの歯車に２つの歯車をかみ合わせるという歯車についての一般的な技術が記載されているだけであり、本件訂正発明の、油圧ポンプの入力軸を正逆回転させることにより油圧シリンダを伸縮可能に形成し、それによってＣ形バンドの両自由端間の距離を伸縮させるという構成は何も記載されていない。
（ロ）の点について
　上記「（イ）の点について」でみたように上記刊行物２には、１つの歯車に２つの歯車をかみ合わせるという歯車についての一般的な技術が記載されているだけであり、本件訂正発明が、軸を中心として回転可能に単一の大外歯車を設ける一方、モータの出力軸に取付けた駆動歯車と、油圧ポンプの入力軸に取付けた従動歯車とを上記大外歯車に噛合わさせたという構成は記載されていない。
　そうすると、刊行物１及び刊行物２のいずれにも、本件訂正発明が採用した上記（イ）及び（ロ）の構成が記載されておらず、これら構成には、例えば、電磁切換バルブ等を含む複雑な油圧回路を必要とすることなく、油圧ポンプの入力軸を正逆回転させるだけで油圧シリンダを伸縮可能とすることができ、それによってＣ形バンドの両自由端間の距離を伸縮させることができる等という技術的意義が認められるから、本件訂正発明が、刊行物１に記載の発明と同一であると認められないし、また刊行物１及び刊行物２に記載の発明に基づいて当業者が容易に発明をすることができたものとも認められない。
　以上のとおりであるから、本件訂正発明は、特許出願の際独立して特許を受けることができるものである。
４．むすび
　以上のとおり、上記訂正は、特許法第１２０条の４第２項及び同条第３項で準用する同法第１２６条第２〜４項の規定に適合するので、当該訂正を認める。
ＩＩＩ．特許異議申立についての判断
１．本件発明
　本件特許第２７２１１４４号の請求項１に係る発明は、訂正明細書の特許請求の範囲の請求項１に記載された事項により特定される上記ＩＩ．の３．の（１）の「訂正明細書の請求項１に係る発明」に示したとおりのもの（以下、「本件発明」という。）である。
２．異議申立の理由の概要
　特許異議申立人　三和機材株式会社は、証拠方法として、甲第１号証（実公平７−６２３９号公報）、及び甲第２号証（芦葉清三郎著、「機械運動機構」、昭和４６年３月１０日、株式会社技報堂発行、第９６頁及び第１７８頁）を提出し、本件発明は、甲第１号証に開示された公知技術と同一であり、そうでなくても該公知技術から当業者が容易に発明をすることができたものであって、特許法第２９条第１項第３号または同条第２項の規定に該当する、と主張している。
３．甲各号証の記載事項
　特許異議申立人の提出した甲第１号証及び甲第２号証には、上記ＩＩ．の３．の（２）の「各刊行物（甲各号証）に記載の発明」に示したとおりの発明が記載されている。
４．対比、判断
　本件発明と、甲第１号証及び甲第２号証に記載の発明とを対比すると、上記ＩＩ．の３．の（３）の「対比、判断」についての判断で示したのと同様の理由により、本件発明が、甲第１号証（刊行物１）に記載された公知技術と同一の発明とは認められないし、また、甲第１号証（刊行物１）及び甲第２号証（刊行物２）に記載の発明に基づいて当業者が容易に発明をすることができたものとも認められないから、特許異議申立人の上記主張は採用できない。
ＩＶ．むすび
　以上のとおりであるから、特許異議申立ての理由、及び提出した証拠方法によっては、本件発明の特許を取り消すことはできない。
　また、他に本件発明の特許を取り消すべき理由を発見しない。
　よって、結論のとおり決定する。
【異議決定日】
平成１１年１２月１７日（１９９９．１２．１７）
【訂正の要旨】
訂正の要旨
　特許第２７２１１４４号発明の明細書の記載を次のように訂正する。
１　特許明細書の特許請求の範囲の請求項１の記載を、特許請求の範囲の減縮を目的として次のように訂正する。
　【請求項１】　鋼管類を貫通させる開口部を有するベースと、開口部周囲のベース上面に立設した複数個の昇降手段と、この昇降手段により昇降させられる非回転部である枠体と、屈曲自在に形成され、上記枠体と一体的に昇降可能に、かつ上記開口部を通り上記枠体の昇降方向と平行な軸を中心として回転可能に支持された鋼管類締付け用Ｃ形バンドおよびこのＣ形バンドの両自由端間に介在し、両自由端間の距離を伸縮させる油圧シリンダを備えた締付け手段と、　この締付け手段を上記軸を中心として正逆転させる回転駆動機構とを備えた鋼管類圧入引抜き装置において、上記締付け手段の周囲に、これに対して相対的に、かつ上記軸を中心として回転可能に単一の大外歯車を設ける一方、上記枠体に配置したモータの出力軸に取付けた駆動歯車と、上記油圧シリンダの駆動部であって、上記締付け手段に配置した油圧ポンプの入力軸に取付けた従動歯車とを上記大外歯車に噛合わさせて、上記入力軸を正逆回転させることにより上記油圧シリンダを伸縮可能に形成したことを特徴とする鋼管類圧入引抜き装置。
２　特許明細書の段落【０００８】の
　「【課題を解決するための手段】　上記課題を解決するため、本発明は、・・・（中略）・・・かつ上記軸を中心として回転可能に大歯車を設ける一方、上記枠体に配置したモータの出力軸に取付けた駆動歯車と、上記油圧シリンダの駆動部であって、上記締付け手段に配置した油圧ポンプの入力軸に取付けた従動歯車とを上記大歯車に噛合わさせて形成した。」という記載を、明りょうでない記載の釈明を目的として、
　「【課題を解決するための手段】　上記課題を解決するため、本発明は、・・・（中略）・・・かつ上記軸を中心として回転可能に単一の大外歯車を設ける一方、上記枠体に配置したモータの出力軸に取付けた駆動歯車と、上記油圧シリンダの駆動部であって、上記締付け手段に配置した油圧ポンプの入力軸に取付けた従動歯車とを上記大外歯車に噛合わさせて、上記入力軸を正逆回転させることにより上記油圧シリンダを伸縮可能に形成した。」と訂正する。
３　特許明細書の段落【０００９】の
　「【発明の実施の形態】　次に、本発明の実施の一形態を図面にしたがって説明する・・・（中略）・・・かつ枠体１２の昇降方向と平行な上記軸を中心として回転可能に設けた大歯車５に噛合わさせて形成してある。・・・（中略）・・・駆動歯車２、大歯車５、従動歯車４を介して・・・」という記載を、明りょうでない記載の釈明を目的として
　「【発明の実施の形態】　次に、本発明の実施の一形態を図面にしたがって説明する・・・（中略）・・・かつ枠体１２の昇降方向と平行な上記軸を中心として回転可能に設けた単一の大外歯車５に噛合わさせて形成してある。・・・（中略）・・・駆動歯車２、大外歯車５、従動歯車４を介して・・・」と訂正する。
４　特許明細書の段落【００１０】の
　「【発明の効果】以上の説明より明らかなように、・・・（中略）・・・かつ上記軸を中心として回転可能に大歯車を設ける一方、・・・（中略）・・・油圧ポンプの入力軸に取付けた従動歯車とを上記大歯車に噛合わさせて・・・」という記載を、明りょうでない記載の釈明を目的として
　「【発明の効果】　以上の説明より明らかなように、・・・（中略）・・・かつ上記軸を中心として回転可能に単一の大外歯車を設ける一方、・・・（中略）・・・油圧ポンプの入力軸に取付けた従動歯車とを上記大外歯車に噛合わさせて、・・・」と訂正する。
（５）【符号の説明】の「５　大歯車」という記載を、明りょうでない記載の釈明を目的として「５　大外歯車」と訂正する。
（５４）【発明の名称】
鋼管類圧入引抜き装置
（５７）【特許請求の範囲】
　【請求項１】　鋼管類を貫通させる開口部を有するベースと、開口部周囲のベース上面に立設した複数個の昇降手段と、この昇降手段により昇降させられる非回転部である枠体と、屈曲自在に形成され、上記枠体と一体的に昇降可能に、かつ上記開口部を通り上記枠体の昇降方向と平行な軸を中心として回転可能に支持された鋼管類締付け用Ｃ形バンドおよびこのＣ形バンドの両自由端間に介在し、両自由端間の距離を伸縮させる油圧シリンダを備えた締付け手段と、この締付け手段を上記軸を中心として正逆転させる回転駆動機構とを備えた鋼管類圧入引抜き装置において、上記締付け手段の周囲に、これに対して相対的に、かつ上記軸を中心として回転可能に単一の大外歯車を設ける一方、上記枠体に配置したモータの出力軸に取付けた駆動歯車と、上記油圧シリンダの駆動部であって、上記締付け手段に配置した油圧ポンプの入力軸に取付けた従動歯車とを上記大外歯車に噛合わさせて、上記入力軸を正逆回転させることにより上記油圧シリンダを伸縮可能に形成したことを特徴とする鋼管類圧入引抜き装置。
【発明の詳細な説明】
　【０００１】
　【発明の属する技術分野】
　本発明は、建築、土木の基礎工事において大口径鋼管杭、コンクリート杭等の圧入、引抜きに使用する鋼管類圧入引抜き装置に関するものである。
　【０００２】
　【従来の技術】
　従来、大口径鋼管杭、コンクリート杭等の圧入、引抜きを行う装置として、図４、５に示す鋼管類圧入引抜き装置が公知である（実公平６−３２９８８号公報）。この鋼管類圧入引抜き装置は、ベース１１、枠体１２、昇降手段１３、締付け手段１４、および回転駆動機構１５から構成されている。
　ベース１１および枠体１２は、中央部に鋼管Ｐを貫通させる円形の開口部１６、１７を有し、非回転部となっている。
　昇降手段１３は、ベース１１と枠体１２との間に介在しており、ベース１１の例えば両側２ケ所に立設したガイドポスト１８に沿って枠体１２を昇降させるようにベース１１上の４ケ所に設けられている。
　【０００３】
　締付け手段１４は、枠体１２の開口部１７内に、上記円形が定める平面と平行な状態を保ち、枠体１２の昇降方向と平行な軸を中心として回転可能に設けられている。さらに詳説すれば、この締付け手段１４は、開口部１７内に回転可能に支持された筒状枠２１と、この内側に配設した鋼管類締付け用Ｃ形バンド２２と、このＣ形バンド２２の自由端間の距離を伸縮させる締付け用油圧シリンダ２３と、この油圧シリンダ２３を駆動するための油圧ポンプ２４とこの油圧ポンプ２４の駆動機構とを備えている。このＣ形バンド２２は複数、図示する例では、３個の鋼鉄製円弧状分割片を互いに相対回転可能にピン結合して形成されており、中央の分割片が筒状枠２１に固定されている。また、上記自由端と油圧シリンダ２３とはピン結合されている。
　【０００４】
　また、上記駆動機構として回転部である筒状枠２１側に従動歯車２５が、非回転部である枠体１２側に駆動歯車２６および油圧モータ２７が設けられている。このうち従動歯車２５は、油圧ポンプ２４の入力軸に取付けられ、駆動歯車２６は、油圧モータ２７の出力軸に取付けられている。また、油圧モータ２７は筒状枠２１に向けて横方向に設けたガイド棒２８に摺動可能に支持され、図示しない油圧シリンダにより進退させられるようになっている。そして、油圧モータ２７を前進させることにより駆動歯車２６を従動歯車２５に噛合わせ、油圧モータ２７を後退させることにより、駆動歯車２６を従動歯車２５から引き離すことができるようになっている。
　【０００５】
　回転駆動機構１５は、筒状枠２１の外周部に設けられ、この筒状枠２１を含む締付け手段１４と一体的に、かつ上記軸を中心として回転する大歯車３１と、大歯車３１と噛合う駆動歯車である小歯車３２を出力軸に取付けた油圧モータ３３とを備えている。この回転駆動機構１５により、具体的には小歯車３２，大歯車３１を介して油圧モータ３３により締付け手段１４が回転させられる。
　そして、締付け手段１４が停止状態にあって、従動歯車２５が定位置にある場合には、上述したように駆動歯車２６を従動歯車２５に噛合わさせ、従動歯車２５を正逆転させることにより、油圧ポンプ２４の入力軸が正逆転させられ、Ｃ形バンド２２の開閉が可能となっている。これに対して、締付け手段１４を回転させる場合には、上記油圧シリンダにより、油圧モータ２７とともに、駆動歯車２６を後退させ、従動歯車２５から引き離すようになっている。
　【０００６】
　この装置は、斯る構成により、開口部１６、１７内に鋼管Ｐを位置させ、Ｃ形バンド２２で鋼管Ｐを締付け、枠体１２を下降、或は上昇させて、鋼管Ｐの圧入、或は引抜きを行い、その後、Ｃ形バンド２２を開いて鋼管Ｐの締付けを解除し、枠体１２を上昇、或は下降させ、Ｃ形バンド２２で鋼管Ｐを締付け、以後上記動作を繰り返すことにより、１ピッチずつ鋼管Ｐの圧入、或は引抜きを行うようにしたものである。また、鋼管Ｐの圧入時には、締付け手段１４とともに鋼管Ｐを回転させながら圧入できるようになっている。
　【０００７】
　【発明が解決しようとする課題】
　上記装置の場合、Ｃ形バンド２２の開閉を機外の油圧ポンプに頼ることなく、行えるようになっている。しかしながら、この開閉を行うためには、その都度締付け手段１４の回転を停止させ、かつ従動歯車２５を駆動歯車２６に対向するように位置決めをする必要がある。
　このため、装置の作業性が悪いだけでなく、従動歯車２５の位置決めのための機構が必要となり、装置が複雑になるという問題が生じている。
　本発明は、斯る従来の問題をなくすことを課題としてなされたもので、作業性の向上および装置の単純化を可能とした鋼管類圧入引抜き装置を提供しようとするものである。
　【０００８】
　【課題を解決するための手段】
　上記課題を解決するため、本発明は、鋼管類を貫通させる開口部を有するべースと、開口部周囲のベース上面に立設した複数個の昇降手段と、この昇降手段により昇降させられる非回転部である枠体と、屈曲自在に形成され、上記枠体と一体的に昇降可能に、かつ上記開口部を通り上記枠体の昇降方向と平行な軸を中心として回転可能に支持された鋼管類締付け用Ｃ形バンドおよびこのＣ形バンドの両自由端間に介在し、両自由端間の距離を伸縮させる油圧シリンダを備えた締付け手段と、この締付け手段を上記軸を中心として正逆転させる回転駆動機構とを備えた鋼管類圧入引抜き装置において、上記締付け手段の周囲に、これに対して相対的に、かつ上記軸を中心として回転可能に単一の大外歯車を設ける一方、上記枠体に配置したモータの出力軸に取付けた駆動歯車と、上記油圧シリンダの駆動部であって、上記締付け手段に配置した油圧ポンプの入力軸に取付けた従動歯車とを上記大外歯車に噛合わさせて、上記入力軸を正逆回転させることにより上記油圧シリンダを伸縮可能に形成した。
　【０００９】
　【発明の実施の形態】
　次に、本発明の実施の一形態を図面にしたがって説明する。
　図１〜３は、本発明に係る鋼管類圧入引抜き装置を示し、図４、５に示す装置とは油圧ポンプ２４の駆動機構を除き、他は実質的に同一であり、互いに共通する部分については同一番号を付して説明を省略する。
　本装置における駆動機構は、油圧モータ１の出力軸に取付けた駆動歯車２と油圧シリンダ２３を駆動するための油圧ポンプ３の入力軸に取付けた従動歯車４とを、筒状枠２１の外周部に、この筒状枠２１に対して相対的に、かつ枠体１２の昇降方向と平行な上記軸を中心として回転可能に設けた単一の大外歯車５に噛合わさせて形成してある。ここで、油圧モータ１は非回転部である枠体１２側に配置し、油圧ポンプ３は回転部である筒状枠２１側に配置してある。　
そして、締付け手段１４が回転、停止のいずれの状態にあるかに拘わらず、駆動歯車２、大外歯車５、従動歯車４を介して油圧モータ１により油圧ポンプ３の入力軸を正逆転させて、Ｃ形バンド２２の開閉を行うことが可能となっている。
　【００１０】
　【発明の効果】
　以上の説明より明らかなように、本発明によれば、鋼管類を貫通させる開口部を有するベースと、開口部周囲のベース上面に立設した複数個の昇降手段と、この昇降手段により昇降させられる非回転部である枠体と、屈曲自在に形成され、上記枠体と一体的に昇降可能に、かつ上記開口部を通り上記枠体の昇降方向と平行な軸を中心として回転可能に支持された鋼管類締付け用Ｃ形バンドおよびこのＣ形バンドの両自由端間に介在し、両自由端間の距離を伸縮させる油圧シリンダを備えた締付け手段と、この締付け手段を上記軸を中心として正逆転させる回転駆動機構とを備えた鋼管類圧入引抜き装置において、上記締付け手段の周囲に、これに対して相対的に、かつ上記軸を中心として回転可能に単一の大外歯車を設ける一方、上記枠体に配置したモータの出力軸に取付けた駆動歯車と、上記油圧シリンダの駆動部であって、上記締付け手段に配置した油圧ポンプの入力軸に取付けた従動歯車とを上記大外歯車に噛合わさせて、上記入力軸を正逆回転させることにより上記油圧ポンプを伸縮可能に形成した。
　【００１１】
　このため、締付け手段が回転、停止のいずれの状態にあるかに拘わらず、上記モータにより上記油圧シリンダ駆動用油圧ポンプの入力軸を正逆転させて、Ｃ形バンドの開閉を行うことが可能となり、かつ締付け手段を位置決めして停止させる必要もなくなり、この結果、作業性の向上および装置の単純化が可能になるという効果を奏する。
【図面の簡単な説明】
　【図１】　本発明に係る鋼管類圧入引抜き装置の一部破断平面図である。
　【図２】　図１のＩＩ−ＩＩ線部分拡大断面図である。
　【図３】　図１に示す装置の一部破断側面図である。
　【図４】　従来の鋼管類圧入引抜き装置の一部破断平面図である。
　【図５】　図４のＶ−Ｖ線部分拡大断面図である。
　【符号の説明】
　１　油圧モータ　　　　２　駆動歯車
　３　油圧ポンプ　　　　４　従動歯車
　５　大外歯車　　　　　１１　ベース
　１２　枠体　　　　　　１３　昇降手段
　１４　締付け手段　　　１５　回転駆動機構
　１６　開口部　　　　　２２　Ｃ形バンド
　２３　油圧シリンダ